(57)【要約】【課題】本発明の目的は、現像液がいたずらに無理に消費されることがなく、比較的温度の低い室内空気により機内を適正な温度状態に維持し易い湿式製版機を得るにある。【解決手段】マスターシートの感光面に静電潜像画像を形成する露光潜像化装置、同マスターシートの画像を現像液で現像する現像装置、現像画像を乾燥・定着する定着装置、高温の機内空気を機外へ排出する排気ファンを略隣り合った状態とし、マスターシートの画像処理を行う湿式製版機において、機体上側から機外空気を機内に取り入れることができる給気ダクトを前記露光潜像化装置と前記現像装置との間に設け、前記現像装置及び定着装置の上側をそれぞれ現像部密閉パネル及び定着部密閉パネルで密閉し、定着装置からの高温空気が現像装置中に流入しないように両者の間を遮蔽板で仕切り、前記給気ダクトから排気ファンに通じる機内風通路を形成した湿式製版機。【選択図】図１
2005283946.tif 000002
【特許請求の範囲】
【請求項１】
マスターシートの感光面に静電潜像画像を形成する露光潜像化装置、同マスターシートの画像を現像液で現像する現像装置、現像画像を乾燥・定着する定着装置、高温の機内空気を機外へ排出する排気ファンを略隣り合った状態とし、マスターシートの画像処理を行う湿式製版機において、前記現像装置及び定着装置全体をそれぞれ現像部密閉パネル３２及び定着部密閉パネルで密閉し、定着装置からの高温空気が現像装置中に流入しないように両者の間を遮蔽板で仕切り、機体上面カバーに吸気口を形成して同機体上面カバーと前記現像部密閉パネル及び定着部密閉パネルの上面との間に前記吸気口から排気ファンに通じる機内風通路を形成したことを特徴とする湿式製版機。
【請求項２】
前記吸気口は、前記現像部密閉パネルに対応した現像部上面カバーに形成する複数の第１給気口と、前記定着部密閉パネルに面した定着部上面カバーに形成する複数の第２給気口で構成されることを特徴とする請求項１記載の湿式製版機。
【請求項３】
前記定着部密閉パネル内部の下側には、定着装置下部の高温空気を外部へ排出する下部排気ファンが設けられたことを特徴とする請求項１または請求項２記載の湿式製版機。
【発明の詳細な説明】
【技術分野】
【０００１】
本発明は湿式製版機に関し、特に無駄に消費される現像液を抑制するための構造に関する。
【背景技術】
【０００２】
周知のように、現像液でマスターシートの表面の静電潜像を現像する湿式製版機においては、現像装置の現像液で静電潜像を現像した後、定着装置で現像画像をマスターシートの表面に定着・乾燥させる。
【０００３】
図５は従来の湿式製版機を示し、機体中に収納されるマスターシートロールＸ１の先端が繰出ローラユニット１及び給紙ローラユニット２により給紙パスに引き出され、図示を省略するシートカッタにより必要な長さに切断される。そして、切断後のマスターシートの感光面にはコロナ帯電器４を通過する間に帯電が行われ、画像レーザスキャン器５からの画像が走査される同期フィードローラ６を通過される際に前記感光面に静電潜像が形成される。なお、光学的な画像走査や露光を行う別構造の製版機においては、画像レーザスキャン器４及び同期フィードローラ６の代わりに、光学感光体ドラムまたはマスターシートを静止させる露光ステージが設けられる場合があるが、このような構造を含めて「露光潜像化装置」と総称する。
【０００４】
同期フィードローラ６を通過したマスターシートＸは搬送ローラ７の回転運動により現像装置８に送られ、現像液ノズル９からの現像液の噴射で顕像化され、マスターシートＸの表面の余剰の現像液が現像装置８の絞りローラ１０の回転運動により現像槽１１中に回収され、回収現像液及び補充現像液が現像液循環装置１２により再循環される。
【０００５】
また、現像後のマスターシートＸは現像装置８に隣り合った定着装置２０に移行されてヒータパネル２１の加熱により乾燥されるけれども、このヒータパネル２１の両側には、一対の抑え送りローラ２２，２３が、また、同ヒータパネル２１の上側には加温された機内空気を通過するマスターシートＸの表面に吹き付けて乾燥を促進させる定着器ファン２５が位置される。
【０００６】
このように必要な画像を印画処理されたマスターシートＸは排出ローラ２６の回転・排出運動により排紙トレー２７上に取り出されるが、同排紙トレー２７の上方又は下方には高温状態となった機内空気を機外に排出して機内温度上昇を防止する排気ファン２８が配置される。
【特許文献１】特許３３９５５６８号公報
【発明の開示】
【発明が解決しようとする課題】
【０００７】
したがって、従来の湿式製版機の構造では、矢印で示すように、主な熱源であるヒータパネル２１からの熱は定着器ファン２５により再循環され、最後は排気ファン２８の吸引力で機外に排出されることになるけれども、ヒータパネル２１の熱風の一部は絞りローラ１０の周囲を通って現像装置８中へ到達する。
【０００８】
ところで、同現像装置８中では、現像液ノズル９から現像液が噴射されているから、表面積の大きな液滴や現像液に定着装置２０からの高温空気流が混じると、現像液滴や現像液から溶剤が急速に失われる。
【０００９】
このような定着装置２０からの流入高温空気により現像液の溶剤が急激に失われてしまうけれども、機内風に混じった蒸発現像液は、最後には、排気ファン２８の作用で機外に排出されるため、従来構造では、比較的短時間の内に現像液が早期に消費されてしまいユーザの現像液費用負担が割高なものとなるばかりでなく、現像液中のトナー濃度が急激に上昇してしまい、トナー濃度制御自体が難しくなることが多かった。
本発明の目的は、以上に述べたような従来の湿式製版機の問題に鑑み、現像液がいたずらに無理に消費されることがなく、比較的温度の低い室内空気により機内を適正な温度状態に維持し易い湿式製版機を得るにある。
【課題を解決するための手段】
【００１０】
この目的を達成するため、本発明は、マスターシートの感光面に静電潜像画像を形成する露光潜像化装置、同マスターシートの画像を現像液で現像する現像装置、現像画像を乾燥・定着する定着装置、高温の機内空気を機外へ排出する排気ファンを略隣り合った状態とし、マスターシートの画像処理を行う湿式製版機において、前記現像装置及び定着装置全体をそれぞれ現像部密閉パネル及び定着部密閉パネルで密閉し、定着装置からの高温空気が現像装置中に流入しないように両者の間を遮蔽板で仕切り、機体上面カバーに吸気口を形成して同機体上面カバーと前記現像部密閉パネル３２及び定着部密閉パネルの上面との間に前記吸気口から排気ファンに通じる機内風通路を形成することを提案するものである。
【００１１】
以下に説明する本発明の好ましい実施例の説明においては、
１）  前記吸気口は、前記現像部密閉パネルに対応した現像部上面カバーに形成する複数の第１給気口と、前記定着部密閉パネルに面した定着部上面カバーに形成する複数の第２給気口で構成された湿式製版機、
２）  前記定着部密閉パネル内部の下側には、定着装置下部の高温空気を外部へ排出する下部排気ファンが設けられた湿式製版機
が説明される。
【発明の効果】
【００１２】
本発明によれば、高温状態の定着装置中の空気が現像装置中に流入して現像液中の溶剤が無駄に蒸散することに原因して現像液の消費量が増大したり、トナー成分の濃度が濃くなるのを阻止できる。また、現像装置及び定着装置の上部に機内風通路を設け、機外空気を機内に導入しつつ、給気ダクトを通って高温状態の定着装置から切り離された機内空気を機外に排出するので、機内が異常に温度上昇することがなくなる。
【発明を実施するための最良の形態】
【００１３】
以下、図１から図４について本発明の実施例による湿式製版機の詳細を説明する。
図１と前述した従来の図５との比較から理解されるように、本発明による湿式製版機の製版プロセスはほとんど同一である。
【００１４】
即ち、図１において、機体中に収納されるマスターシートロールＸ１の先端が繰出ローラユニット１及び給紙ローラユニット２により給紙パスに引き出され、図示を省略するシートカッタにより必要な長さに切断され、切断後のマスターシートＸの感光面にはコロナ帯電器４を通過する間に帯電が行われ、画像レーザスキャン器５からの画像が走査される同期フィードローラ６を通過される際に前記感光面に静電潜像が形成されることになる。
【００１５】
この後、マスターシートＸは搬送ローラ７の回転運動により現像装置８に送られ、現像液ノズル９からの現像液の噴射で現像される。この現像装置８では、マスターシートＸの表面の余剰の現像液が現像装置８の絞りローラ１０の回転運動により現像槽１１中に回収され、回収現像液及び補充現像液が現像液循環装置１２により再循環される。
また、現像後のマスターシートＸは現像装置８に隣り合った定着装置２０に移行されヒータパネル２１の加熱により乾燥されるけれども、このヒータパネル２１の両側には、一対の抑え送りローラ２２，２３が、また、同ヒータパネル２１の上側には加温された機内空気を通過するマスターシートＸの表面に吹き付けて乾燥を促進させる定着器ファン２５が位置される。
【００１６】
このように必要な画像を印画処理されたマスターシートＸは排出ローラ２６の回転・排出運動により排紙トレー２７上に取り出されるが、同排紙トレー２７上部には高温状態となった機内空気を機外に排出して機内温度上昇を防止する排気ファン２８が配置される点では全く同様である。
【００１７】
図示実施例の主な特徴は、図２から図４に示すように、機外空気を機内に取り込む機体上面カバー５１に設けられる複数の第１吸気口２９Ａ及び第２吸気口２９Ｂ、現像装置８及び定着装置２０の全体を取り囲んで空間的にこれらを独立させる現像部密閉パネル３２及び定着部密閉パネル３４にあり、前記機体上面カバー５１と現像部密閉パネル３２及び定着部密閉パネル３４の上面との間には機内風通路３６が形成され、排気ファン２８の吸引力により複数の第１吸気口２９Ａ及び第２吸気口２９Ｂから機内に流入した低温空気は機内風通路３６を流れて機外に流出する。
【００１８】
即ち、図３に示すように第１吸気口２９Ａは現像部密閉パネル３２を構成する現像上部密閉３２Ｕの直上にある現像部上面カバー５３に複数個形成されるもので、また、第２吸気口２９Ｂは定着部密閉パネル３４を構成する定着上部密閉パネル３４Ｕの直上にある定着部上面カバー５５にそれぞれ形成される。
【００１９】
そして、現像装置８の上側部は現像部密閉パネル３２の現像上部密閉３２Ｕで覆われるけれども、入口ローラ４２と絞りローラ１０との間にマスターシートＸの静電潜像を形成する現像液ノズル９が設けられ、この現像液ノズル９からの現像液噴射により送られるマスターシートＸのトナー現像が行われる。
また、同現像装置８の下側、つまり現像槽１１及び現像液循環装置１２は現像下部密閉３２Ｌで空間的に密閉状態におかれるから、現像装置１１の内部空間は熱的には独立した状態にある。
現像装置８と隣り合った定着装置２０との間は遮蔽板４４で空間的に仕切られるので、現像装置８の内部に定着装置２０からの高温の機内空気が流入するのを確実に阻止できる。
【００２０】
一方、図４に示されているように、前記定着装置２０の上方には定着部上面カバー５５が位置されており、この定着部上面カバー５５には複数の第２吸気口２９Ｂが形成される。
また、定着装置２０全体は定着部密閉パネル３４で全体を覆われ、定着装置２０の内部空間の高温空気が他の機内空間から隔絶される。
即ち、定着装置２０の上側部は定着部密閉パネル３４の定着上部密閉パネル３４Ｕで覆われると共にその下半部は定着下部密閉パネル３４Ｌで包囲される。
前記定着部密閉パネル３４の内部にはヒータパネル２１の表面に乾燥風を吹き付ける定着器ファン２５が組み込んであるけれども、定着下部密閉パネル３４Ｌの下側即ち、前記排紙トレー２７の下位には、定着装置下部の高温空気を外部へ排出する下部排気ファン５７が設けられる。
【００２１】
図示実施例による湿式製版機は、以上のような構造であるから、温度上昇を生じ易い現像装置８の現像部密閉パネル３２及び定着装置２０の定着部密閉パネル３４には、排気ファン２８の吸入により第１給気口２９Ａ及び第２吸気口２９Ｂが臨まされているため、これらの第１給気口２９Ａ及び第２吸気口２９Ｂから取り込まれた低温の空気流が流れる機内風通路３６の空気流からの奪熱により、現像装置８及び定着装置２０の内部の温度上昇が抑えられる。
この場合、現像装置８の内部は遮蔽板４４の存在により定着装置２０からの高温空気の流入が防止されているため、同高温空気の流入による現像液う溶剤の異常な蒸散が防止され、貴重な現像液の消費量を減らし、現像液の溶剤蒸発によるトナー濃度の増大による補充液の補給頻度を低減できる。
【００２２】
これと同時に、内部が高温になりがちな定着装置２０の内部には下部排気ファン５７が位置されているため、同下部排気ファン５７の吸引力により定着装置２０内部の下部空間中の高温空気が直接に機外に排除される。
【産業上の利用可能性】
【００２３】
前述した本発明の実施例の説明においては、マスターシートロールＸ１を用いかつ画像レーザスキャン器によりカットされたマスターシートの感光面に画像を形成する構成の湿式製版機を例示したけれども、本発明は、予めカットされたマスターシートを用いるか、または、光学走査方式によりマスターシートの感光面に画像を形成する形式に湿式製版機であってもよい。
【図面の簡単な説明】
【００２４】
【図１】本願発明による湿式製版機の全体断面図である。
【図２】図１の湿式製版機の要部拡大断面図である。
【図３】同湿式製版機の現像装置の分解斜視図である。
【図４】同湿式製版機の給気ダクトの斜視図である。
【図５】従来の湿式製版機内部の機内風の説明図である
【符号の説明】
【００２５】
Ｘ      マスターシート
１      繰出ローラユニット
２      給紙ローラユニット
５      画像レーザスキャン器
６      同期フィードローラ
８      現像装置
９      現像液ノズル
１０    絞りローラ
１２    現像液循環装置
２０    定着装置
２１    ヒータパネル
２５    定着器ファン
２６    排出ローラ
２７    排紙トレー
２８    排気ファン
２９Ａ，２９Ｂ    給気口
３２    現像部密閉パネル
３４    定着部密閉パネル
３６    機内風通路
３８    導入孔
４１    排出孔
４６    中間吸気孔
４８    直接排気孔
５１    機体上面カバー
５３    現像部上面カバー
５５    定着部上面カバー
５７    下部排気ファン
【図１】
2005283946.tif 000003
【図２】
2005283946.tif 000004
【図３】
2005283946.tif 000005
【図４】
2005283946.tif 000006
【図５】
2005283946.tif 000007